(57)【特許請求の範囲】
【請求項１】
複数のカメラから出力された複数系列の映像信号をそれぞれ受信する受信ユニットと、
前記受信ユニットにより受信された複数系列の映像信号をそれぞれ記憶する記憶ユニットと、
第１の表示領域と第２の表示領域を備える表示ユニットと、
前記受信ユニットにより受信された前記複数系列の映像信号を選択的に時分割で前記第１の表示領域に表示させ、かつこの表示動作と並行して、前記受信ユニットにより過去に受信された複数系列の映像信号の非表示区間を前記記憶ユニットから選択的に読み出して前記第２の表示領域に表示させる制御ユニットと
を具備することを特徴とする映像表示装置。
【請求項２】
前記制御ユニットは、前記受信ユニットにより過去に受信された映像信号をもとに時系列に複数の静止画像を生成し、この生成された複数の静止画像を前記第２の表示領域に表示させることを特徴とする請求項１記載の映像表示装置。
【請求項３】
前記制御ユニットは、前記第２の表示領域に表示する映像信号の非表示区間が前記第１の表示領域における１系列の映像信号の表示期間より長い場合に、前記映像信号の非表示区間を速度変換して前記第２の表示領域に早送りで表示させることを特徴とする請求項１記載の映像表示装置。
【発明の詳細な説明】
【技術分野】
【０００１】
この発明は、例えば監視用カメラにより撮像された監視映像をモニタ装置に表示する映像表示装置に関する。
【背景技術】
【０００２】
従来、ホテルやオフィスビル、コンビニエンスストア、金融機関等の商業施設をはじめ、ダムや鉄道、道路、学校等の公共施設には、犯罪抑止や事故防止等の目的で監視システムが設置されている。監視システムは、例えば監視エリアをカメラにより撮像してその映像信号を管理事務所や警備室等の監視センタに伝送し、この映像信号をモニタ装置に表示させることにより監視者が侵入者の有無を目視監視できるように構成されている。
【０００３】
ところで、この種の監視システムにおいて複数台のカメラを使用する場合には、当該複数台のカメラの映像信号を一定時間ごとに順次切り換えて１台のモニタ装置に表示させるのが一般的である。しかしこのような表示手法では、モニタ装置には同一時刻において複数台のカメラ映像のうちのいずれか一つしか表示されない。このため、監視漏れが発生することがあり、監視の信頼性低下を招く。
【０００４】
そこで従来では、例えばモニタ装置の表示画面をマルチ画面構成とし、この複数の画面に複数のカメラの映像を表形式で同時に表示させる装置が提案されている。このような装置であれば、監視者は複数のカメラの映像を並べた状態で同時に監視することが可能となる。（例えば、特許文献１を参照。）。
【特許文献１】特開２００２−１５２７２１号公報
【発明の開示】
【発明が解決しようとする課題】
【０００５】
ところが、このような従来の映像表示装置では、表示画面を少なくともカメラの台数と表示対象のイベント数を掛け合わせた数だけ用意しなければならず、構成が複雑かつ大掛かりになる。
【０００６】
この発明は上記事情に着目してなされたもので、その目的とするところは、複雑かつ大掛かりな表示手段を用いることなく映像の見逃しを防止し、これにより簡単な構成で信頼性の高い監視業務を可能にする映像表示装置を提供することにある。
【課題を解決するための手段】
【０００７】
上記目的を達成するためにこの発明の一観点は、複数のカメラから出力された複数系列の映像信号をそれぞれ受信する受信ユニットと、この受信ユニットにより受信された複数系列の映像信号をそれぞれ記憶する記憶ユニットと、第１の表示領域と第２の表示領域を備える表示ユニットと、制御ユニットとを備えている。そして、制御ユニットにより、上記受信ユニットにより受信された上記複数系列の映像信号を選択的に時分割で上記第１の表示領域に表示させ、かつこの表示動作と並行して、上記受信ユニットにより過去に受信された複数系列の映像信号の非表示区間を上記記憶ユニットから選択的に読み出して上記第２の表示領域に表示させるように構成したものである。
【０００８】
上記制御ユニットによる表示制御手段には、例えば、上記受信ユニットにより過去に受信された映像信号をもとに時系列に複数の静止画像を生成し、この生成された複数の静止画像を前記第２の表示領域に表示させる手段と、上記第２の表示領域に表示する映像信号の非表示区間が前記第１の表示領域における１系列の映像信号の表示期間より長い場合に、前記映像信号の非表示区間を速度変換して前記第２の表示領域に早送りで表示させる手段が考えられる。
【発明の効果】
【０００９】
したがってこの発明の一観点によれば、複数のカメラから出力された複数系列の映像信号を選択的に時分割で第１の表示領域に表示しながら、それと並行して過去に受信された複数系列の映像信号の非表示区間を選択的に第２の表示領域に表示することが可能となる。このため、第１の表示領域には同一期間に複数系列の映像信号のうちのいずれか一つしか表示されなくても、上記映像信号の第１の表示領域に表示されなかった区間は後に記憶ユニットから読み出されて第２の表示領域に表示される。したがって、監視者は複数系列の映像信号のうちの一つをリアルタイムで監視しながら、それと並行して当該表示中の映像信号或いは他の系列の映像信号の非表示区間を監視することが可能となる。
【００１０】
すなわち、この発明の一観点によれば、複雑かつ大掛かりな表示手段を用いることなく映像の見逃しを防止し、これにより簡単な構成で信頼性の高い監視業務を可能にした映像表示装置を提供することができる。
【発明を実施するための最良の形態】
【００１１】
以下、図面を参照してこの発明の実施形態を説明する。  
（第１の実施形態）  
図１は、この発明の第１の実施形態に係わる映像表示装置の構成を示すブロック図である。この映像表示装置１は、異なる監視位置に設置された複数台のカメラＣＭ１〜ＣＭｎから送られる映像信号をそれぞれ受信して表示する機能を有するもので、受信ユニット１０と、上記カメラＣＭ１〜ＣＭｎに対応して設けられた複数の記憶部２１〜２ｎと、１つの主モニタ３０と、複数の副モニタ４１〜４ｋと、制御ユニットとを備えている。副モニタ４０は、制御ユニットは、主制御部５０と、切替部５１と、表示メモリ５２と、表示制御部５３とから構成される。なお、これらのうち主制御部５０及び表示制御部５３は、アプリケーション・プログラムをコンピュータの中央処理部（ＣＰＵ；Central Processing Unit）に実行させることにより実現される。
【００１２】
受信ユニット１０は、例えば図２に示すように、上記カメラＣＭ１〜ＣＭｎに１対１に対応して設けられた複数の受信部１１１〜１１ｎと、受信制御部１２とから構成される。受信制御部１２は、操作機ＯＵにおける映像選択操作に応じて主制御部５０から出力される映像選択制御信号に従い、受信対象のカメラＣＭ１〜ＣＭｎの映像信号を選択的に受信させるべく上記各受信部１１１〜１１ｎを制御する。受信部１１１〜１１ｎは、上記受信制御部１２の制御の下で、カメラＣＭ１〜ＣＭｎから送信された監視対象の映像信号を受信し、この受信した映像信号をディジタル信号に変換した後、対応する記憶部２１〜２ｎ内の主メモリ２１１〜２ｎ１に書き込む。
【００１３】
記憶部２１〜２ｎは、主メモリ２１１〜２ｎ１と、複製部２１２〜２ｎ２と、副メモリ群２１３〜２ｎ３を有している。主メモリ２１１〜２ｎ１は、先に述べたように受信部１１１〜１１ｎから出力されるディジタル化された映像信号を記憶する。複製部２１２〜２ｎ２はそれぞれ、上記主メモリ２１１〜２ｎ１から映像信号を読み出し、この読み出された映像信号から予め設定されたサンプリング間隔で静止画像を生成する。そして、この生成された静止画像を副メモリ群２１３〜２ｎ３に供給する。副メモリ群２１３〜２ｎ３はそれぞれ、上記副モニタ４１〜４ｋの整数倍の数の副メモリ２１３１〜２１３ｊ，２２３１〜２２３ｊ，…，２ｎ３１〜２ｎ３ｊを有しており、上記複製部２１２〜２ｎ２から供給される複数枚の静止画像を順次記憶する。
【００１４】
切替部５１はビデオスイッチにより構成され、上記主制御部５０から出力される映像選択制御信号に従い、上記受信部１１１〜１１ｎにより受信された直後のライブ映像信号を上記記憶部２１〜２ｎの主メモリ２１１〜２ｎ１から一定期間分ずつ選択的に読み出し、この読み出された映像信号を表示メモリ５２に供給する。表示メモリ５２は例えばビデオＲＡＭからなり、上記切替部５１から供給された映像信号を主モニタ３０に供給して表示させる。
【００１５】
表示制御部５３は、主制御部５０から出力される副映像選択制御信号に従い、上記主モニタ３０に対するライブ映像の表示動作に同期して、上記記憶部２１〜２ｎの副メモリ群２１３〜２ｎ３から当該ライブ映像のうち上記主モニタ３０に表示されなかった区間の静止画像を読み出す。そして、この読み出された静止画像を上記副モニタ４１〜４ｋに供給して表示させる。
【００１６】
操作機ＯＵは、監視者用の操作端末に設けられ、上記映像表示装置１に対し例えば信号ケーブルにより接続される。図３は操作機ＯＵの構成を示す図である。なお、信号ケーブルの代わりに、ＬＡＮや公衆網等の通信ネットワークを介して接続するようにしてもよい。操作機ＯＵには、テンキー６１と、映像選択ボタン６２と、副モニタ選択ボタン６３と、静止画間隔設定ボタン６４と、ロックボタン６５，６６と、警告映像表示ボタン６７と、表示器６８が設けられている。テンキー６２は、カメラＣＭ１〜ＣＭｎの番号や静止画像の間隔を表す情報を入力するために使用される。このテンキー６１により入力された番号は表示器６８に表示される。
【００１７】
主制御部５０は、上記テンキー６１によりカメラＣＭ１〜ＣＭｎの番号が指定入力された状態で、映像選択ボタン６２が押下されたときに、主モニタ３０に表示する映像を上記指定入力されたカメラに対応するものに切り替えるよう、切替部５１に対し指示を出す。また、上記テンキー６１によりカメラＣＭ１〜ＣＭｎが指定入力された状態で、副モニタ選択ボタン６３が押下されたときに、副モニタ４１〜４ｋに表示する静止画像を上記指定入力されたカメラに対応するものに切り替えるよう、表示制御部５３に対し指示を出す。さらに、上記テンキー６１により静止画像の間隔を表す数値が入力された状態で、静止画間隔設定ボタン６４が押下されたときに、副モニタ４１〜４ｋに表示する静止画像の間隔を上記入力された値に変更する。
【００１８】
また主制御部５０は、ロックボタン６５が操作されると、上記副モニタ４１〜４ｋに表示される静止画像の更新動作を停止させるよう、表示制御部５３に対し指示を与える。また、ロックボタン６６が操作された場合には、静止画像の表示間隔を固定するよう表示制御部５３に対し指示を与える。警告映像表示ボタン６７が押下されたときには、副モニタ４１〜４ｋに警告映像のみを表示させるよう、表示制御部５３に対し指示を与える。
【００１９】
次に、以上のように構成された装置による映像表示動作を説明する。  
ここでは、例えば図４に示すように、カメラＣＭ１〜ＣＭｎのうちカメラＣＭ１〜ＣＭ３の映像ＶＤ１，ＶＤ２，ＶＤ３を、一定期間ｔずつ時分割で監視する場合を例にとって説明する。
【００２０】
監視動作が開始されると、各カメラＣＭ１〜ＣＭｎから送信された映像信号はそれぞれ、受信部１１１〜１１ｎで受信されたのち主メモリ２１１〜２ｎ１に記憶される。そして、この主メモリ２１１〜２ｎ１に記憶された各映像信号は複製部２１２〜２ｎ２により読み出され、この映像信号をもとに予め設定されたサンプリング間隔で静止画像が生成される。そして、この生成された静止画像は副メモリ群２１３〜２ｎ３のｊ個の副メモリに順次記憶される。なお、１番目からｊ番目の副メモリのすべてに静止画像が記憶された後は、再度１番目の副メモリから順に新たな静止画像が記憶される。
【００２１】
さて、上記映像信号の受信が開始されると、切替部５１は主制御部５０からの映像選択制御信号に従い、カメラＣＭ１，ＣＭ２，ＣＭ３の映像信号を主メモリ２１１，２２１，２ｎ１から一定期間ｔずつ順次選択的に読み出し、表示メモリ５２を介して主モニタ３０に表示させる。したがって監視者は、主モニタ３０により、上記３台のカメラＣＭ１，ＣＭ２，ＣＭ３のライブ映像ＶＤ１，ＶＤ２，ＶＤ３を、一定期間ｔずつ時分割で監視することが可能となる。
【００２２】
一方、上記主モニタ３０へのライブ映像ＶＤ１，ＶＤ２，ＶＤ３の表示動作と並行して、表示制御部５３は上記主モニタ３０に表示されなかった区間の表示制御を実行する。図５はその動作を説明するための図である。  
すなわち表示制御部５３は、主モニタ３０にカメラＣＭ１のライブ映像ＶＤ１が表示される期間では、当該カメラＣＭ１により過去に得られた映像のうち上記主モニタ３０に表示されなかった直前の区間における静止画像を副メモリ２１３１〜２１３ｊから読み出し、この読み出した静止画像を副モニタ４１〜４ｋに表示させる。この結果、例えば図５に示す期間ｔ４では、カメラＣＭ１により過去に得られた映像ＶＤ１のうち主モニタ３０に表示されなかった直前の区間、つまり主モニタ３０に他のカメラＣＭ２，ＣＭ３のライブ映像ＶＤ２，ＶＤ３が表示された期間ｔ２，ｔ３における静止画像群ＶＳ１(t2)，ＶＳ１(t3)が、副メモリ２１３１〜２１３ｊから読み出される。そして、この読み出された静止画像群ＶＳ１(t2)，ＶＳ１(t3)が副モニタ４１〜４ｋに表示される。
【００２３】
続いて表示制御部５３は、主モニタ３０にカメラＣＭ２のライブ映像ＶＤ２が表示される期間において、当該カメラＣＭ２により過去に得られた映像のうち上記主モニタ３０に表示されなかった直前の区間における静止画像を副メモリ２２３１〜２２３ｊから読み出し、この読み出した静止画像を副モニタ４１〜４ｋに表示させる。この結果、例えば図５の期間ｔ５では、カメラＣＭ２により過去に得られた映像ＶＤ２のうち主モニタ３０に表示されなかった直前の区間、つまり主モニタ３０に他のカメラＣＭ３，ＣＭ１のライブ映像ＶＤ３，ＶＤ１が表示された期間ｔ３，ｔ４における静止画像群ＶＳ２(t3)，ＶＳ２(t4)が、副メモリ２２３１〜２２３ｊから読み出される。そして、この読み出された静止画像群ＶＳ２(t3)，ＶＳ２(t4)が副モニタ４１〜４ｋに表示される。
【００２４】
次に表示制御部５３は、主モニタ３０にカメラＣＭ３のライブ映像ＶＤ３が表示される期間において、当該カメラＣＭ３により過去に得られた映像のうち上記主モニタ３０に表示されなかった直前の区間における静止画像を副メモリ２３３１〜２３３ｊから読み出し、この読み出した静止画像を副モニタ４１〜４ｋに表示させる。この結果、例えば図５の期間ｔ６では、カメラＣＭ３により過去に得られた映像ＶＤ３のうち主モニタ３０に表示されなかった直前の区間、つまり主モニタ３０に他のカメラＣＭ１，ＣＭ２のライブ映像ＶＤ１，ＶＤ２が表示された期間ｔ４，ｔ５における静止画像群ＶＳ３(t4)，ＶＳ３(t5)が、副メモリ２３３１〜２３３ｊから読み出される。そして、この読み出された静止画像群ＶＳ３(t4)，ＶＳ３(t5)が副モニタ４１〜４ｋに表示される。
【００２５】
以後同様に、主モニタ３０にカメラＣＭ１，ＣＭ２，ＣＭ３のライブ映像ＶＤ１，ＶＤ２，ＶＤ３が表示される各期間において、当該カメラＣＭ１，ＣＭ２，ＣＭ３により過去に得られた映像のうち上記主モニタ３０に表示されなかった直前の区間における静止画像が副メモリ２１３１〜２１３ｊ，２２３１〜２２３ｊ，２３３１〜２３３ｊから読み出され、この読み出された複数枚の静止画像ＶＳ１，ＶＳ２，ＶＳ３が副モニタ４１〜４ｋに表示される。
【００２６】
したがって監視者は、主モニタ３０においてカメラＣＭ１，ＣＭ２，ＣＭ３のライブ映像ＶＤ１，ＶＤ２，ＶＤ３を時分割で順次監視しながら、当該ライブ映像ＶＤ１，ＶＤ２，ＶＤ３のうち、主モニタ３０に表示されなかった直前の区間の静止画像ＶＳ１，ＶＳ２，ＶＳ３を副モニタ４１〜４ｋにより確認することが可能となる。また、主モニタ３０に表示されなかった直前の区間の映像を静止画像ＶＳ１，ＶＳ２，ＶＳ３に変換して副モニタ４１〜４ｋに表示するようにしたので、当該非表示区間の映像に監視対象の異常が写っている場合に、当該異常をより確実に発見しかつ確認することができる。
【００２７】
（第２の実施形態）  
この発明の第２の実施形態は、主モニタ３０に表示されなかった直前の区間の静止画像ＶＳ１，ＶＳ２，ＶＳ３を副モニタ４１〜４ｋに表示する際に、当該静止画像ＶＳ１，ＶＳ２，ＶＳ３をライブ映像ＶＤ１，ＶＤ２，ＶＤ３と比較し、その比較の結果両者間に所定量以上の差分が検出された場合に、ＯＳＤ（On Screen Display）データを生成してこのＯＳＤデータを該当する静止画像に付加して表示するようにしたものである。
【００２８】
図６は、この発明の第２の実施形態に係わる映像表示装置１に設けられている表示制御部５４の機能構成を示すブロック図である。なお、映像表示装置１の上記表示制御部５４以外の部位については、前記図１と構成又は機能が同一なので、ここでも図１を援用して説明する。  
本実施形態の表示制御部５４は、画像比較部５４１と、ＯＳＤ生成部５４２と、副モニタ表示制御部５４３を備えている。なお、これらの機能はいずれも、アプリケーション・プログラムをＣＰＵに実行させることにより実現される。
【００２９】
画像比較部５４１は、副メモリ群２１３〜２ｎ３から読み出した非表示区間の静止画像ＶＳ１，ＶＳ２，ＶＳ３を、表示メモリ５２から主モニタ３０に供給されるライブ映像ＶＤ１，ＶＤ２，ＶＤ３と比較して、その差分量を検出する。この差分量は、例えば画素ごとの輝度の差分値を１フレームに亘り累積加算することにより求められる。そして、画像比較部５４１は、上記算出された画像間の差分量が予め設定したしきい値を超えているか否かを判定する。そして、超えていた場合には、ＯＳＤ生成部５４２に対しＯＳＤの生成指示を与える。
【００３０】
ＯＳＤ生成部５４２は、上記画像比較部５４１からＯＳＤの生成指示が与えられた場合に、警告のためのＯＳＤを生成する。ＯＳＤとしては、例えば「異常事象が検出されました」と云った警告メッセージや、異常事象が検出されたことを表すマークや色、光の点滅等が用いられる。
【００３１】
副モニタ表示制御部５４３は、上記副メモリ群２１３〜２ｎ３から読み出した非表示区間のｋ枚の静止画像のうち、上記画像比較部５４１により異常事象が検出された静止画像に、上記ＯＳＤ生成部５４２により生成されたＯＳＤデータを重畳する。そして、このＯＳＤデータが重畳された静止画像を副モニタ４１〜４ｋに表示させる。
【００３２】
このような構成であるから、例えば図７に示すように、主モニタ３０にカメラＣＭ１のライブ映像ＶＤ１が表示される期間において、当該ライブ映像ＶＤ１と、副モニタ群４０に表示される過去の非表示区間における静止画像ＶＳ１２との間に、しきい値を超える差分量が検出されると、この静止画像ＶＳ１２にはＯＳＤデータが重畳されて副モニタ４２に表示される。同様に、主モニタ３０にカメラＣＭ２のライブ映像ＶＤ２が表示される期間において、当該ライブ映像ＶＤ２と、副モニタ群４０に表示される過去の非表示区間における静止画像ＶＳ２３，ＶＳ２ｋとの間に、しきい値を超える差分量がそれぞれ検出されると、これらの静止画像ＶＳ２３，ＶＳ２ｋにＯＳＤデータが重畳されて副モニタ４３，４ｋに表示される。  
したがって、監視者は上記ＯＳＤデータの表示により、異常事象の発生を洩れなく認識することが可能となる。
【００３３】
また、上記ＯＳＤデータが表示された静止画像を確認した監視者が、操作機ＯＵにおいて警告映像表示ボタン６７を押下したとする。そうすると表示制御部５３は、上記ＯＳＤデータが表示されていない静止画像の表示を消去して、ＯＳＤデータが表示された静止画像のみを副モニタに表示させる。例えば、図７に示すように静止画像ＶＳ２３，ＶＳ２ｋを副モニタ４１，４２に表示する。このようにすることで、監視者は異常事象が検出された静止画像ＶＳ２３，ＶＳ２ｋを集中的に確認することが可能となる。
【００３４】
なお、上記警告映像表示ボタン６７が押下された場合には、主モニタ３０におけるライブ映像ＶＤ１の切り替えを停止するようにしてもよい。このようにすると、異常事象が検出された監視対象の現在の様子をライブ映像ＶＤ１により引き続き確認することが可能となる。
【００３５】
（第３の実施形態）
前記第１の実施形態では、主モニタ３０に対するライブ映像ＶＤ１，ＶＤ２，ＶＤ３の表示動作に連動して、当該映像の非表示区間の静止画像を副モニタ４１〜４ｋに表示するようにした。しかし、それに限るものではなく、例えば図８に示すように、副モニタ４１〜４ｋに表示する非表示区間の静止画像を、それぞれ監視者の操作により選択するようにしてもよい。
【００３６】
これは、例えば図３に示した操作機ＯＵの副モニタ選択ボタン６３を監視者が押下することによりなされる。すなわち、監視者は先ずテンキー６１によりカメラＣＭ１〜ＣＭｎの番号を指定入力し、この状態で副モニタ選択ボタン６３を押下する。そうすると、主制御部５０から表示制御部５３に対し、静止画像の表示切替指示が与えられる。この結果、副モニタ４１〜４ｋに表示する静止画像は、上記指定入力されたカメラＣＭ２に対応するものＶＳ２１〜ＶＳ２ｋに切り替えられる。
【００３７】
また、上記副モニタ４１〜４ｋに表示する静止画像の切替操作後に、監視者がロックボタン６５を押下したとする。そうすると、上記副モニタ４１〜４ｋに表示された静止画像ＶＳ２１〜ＶＳ２ｋは、主モニタ３０に表示されるライブ映像がＶＤ１〜ＶＤ２に切り替わったとしても、図８に示すようにそのまま表示され続ける。  
なお、主モニタ３０に表示するライブ映像ＶＤ１，ＶＤ２，ＶＤ３についても、監視者の操作に応じて任意に選択できるようにしてもよい。
【００３８】
（第４の実施形態）
前記第１及び第２の実施形態では、主モニタ３０に表示されなかった区間の映像を複数枚の静止画像として切り出して副モニタ４１〜４ｋに表示するようにした。しかし、それに限定されるものではなく、上記主モニタ３０に表示されなかった区間の映像を早送り再生して副モニタに表示するようにしてもよい。
【００３９】
この場合、早送り再生の速度は、主メモリに３０に映像を時分割表示するカメラの台数がｎ台であれば、（ｎ−１）倍に設定すればよい。例えば、図５に示したように３台のカメラＣＭ１〜ＣＭ３の映像を一定期間ｔずつ順次時分割表示させる場合には、主モニタ３０に表示されなかった区間の映像を２倍速で表示させる。  
このようにすると、主モニタ３０に表示されなかった区間の動画映像をそれより短い期間に洩れなく表示することが可能となる。
【００４０】
（その他の実施形態）  
第１の実施形態では、例えば主モニタ３０にカメラＣＭ１のライブ映像ＶＤ１が表示される期間において、当該カメラＣＭ１により過去に得られた映像のうち上記主モニタ３０に表示されなかった直前の区間における複数枚の静止画像ＶＳ１を副モニタ４１〜４ｋに表示するようにした。しかし、それに限定されるものではなく、例えば主モニタ３０にカメラＣＭ１のライブ映像ＶＤ１が表示される期間において、他のカメラＣＭ２又はＣＭ３により過去に得られた映像の非表示区間の複数枚の静止画像ＶＳ１を副モニタ４１〜４ｋに表示するようにしてもよい。
【００４１】
また、副モニタ４１〜４ｋに表示する静止画像は、必ずしも主モニタ３０に表示中のライブ映像の直前の非表示区間のものでなくてもよく、それ以前の非表示区間の画像であってもよい。さらに、副モニタ４１〜４ｋに表示する静止画像は、必ずしも非表示区間の画像に限定されるものではなく、監視者の操作に応じて、主モニタ３０に一度表示された映像の静止画像を再表示するようにしてもよい。
【００４２】
さらに、前記各実施形態では１台の主モニタ３０と複数台の副モニタ４１〜４ｋとを上下に並べた表示装置を例にとって説明したが、表示モニタの配置構成はこれに限定されるものではなく、種々の変形が可能である。図９はその例を示すものである。  
図９（ａ）は、１台の主モニタ３０の下方に複数の副モニタ群４０Ｂを並べたもので、これによりカメラＣＭ１〜ＣＭ３による各映像の非表示区間を同時に表示することが可能となる。  
図９（ｂ）は、主モニタ３０の表示領域内に複数の副モニタ４０Ｃを重ねて表示するものである。これは、例えばＰｉｎＰ（Picture in Picture）方式を採用することにより実現可能である。  
図９（ｃ）は、複数台の主モニタ３０Ｄ１〜３０Ｄ４を並べて配置すると共に、これらの主モニタ３０Ｄ１〜３０Ｄ４の下方側にそれぞれ複数の副モニタ４０Ｄ１〜４０Ｄ４を配置したものである。このように構成すると、各主モニタ３０Ｄ１〜３０Ｄ４においてそれぞれ異なるカメラＣＭ１〜ＣＭ４のライブ映像ＶＤ１〜ＶＤ４を表示すると共に、それと並行して当該各カメラＣＭ１〜ＣＭ４による過去の非表示区間の静止画像を副モニタ４０Ｄ１〜４０Ｄ４にそれぞれ表示することができる。  
図９（ｄ）は、主モニタ３０と、この主モニタ３０と同一サイズの複数の副モニタ４０Ｅ１〜４０Ｅ３を並べて配置したものである。
【００４３】
前記第１の実施形態では、カメラＣＭ１〜ＣＭｎを各々独立する信号ケーブルを介して映像表示装置１の受信部１１１〜１１ｎに接続するようにしたが、カメラＣＭ１〜ＣＭｎを通信インタフェース機能を備えたネットワークカメラにより構成し、これらのカメラＣＭ１〜ＣＭｎから送信された映像データを例えばＩＰ網や回線交換網、無線ＬＡＮ等の通信ネットワークを介して映像表示装置１の受信ユニット１０で受信するように構成してもよい。
【００４４】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、実施形態に示される全構成要素から幾つかの構成要素を削除してもよい。さらに、異なる各実施形態に亘る構成要素を適宜組み合せてもよい。
【図面の簡単な説明】
【００４５】
【図１】この発明の第１の実施形態に係わる映像表示装置の構成を示すブロック図である。
【図２】図１に示した映像表示装置に設けられる受信ユニットの構成を示すブロック図である。
【図３】図１に示した映像表示装置に対し操作情報を入力する操作機の構成を示す図である。
【図４】図１に示した映像表示装置の主モニタ及び副モニタにおける映像表示動作の概要を示す図である。
【図５】図１に示した映像表示装置の主モニタ及び副モニタにおける映像表示動作の詳細を示すタイミング図である。
【図６】この発明の第２の実施形態に係わる映像表示装置の表示制御部の機能構成を示すブロック図である。
【図７】図６に示した表示制御部により制御される主モニタ及び副モニタにおける映像表示動作の概要を示す図である。
【図８】この発明の第３の実施形態に係わる主モニタ及び副モニタにおける映像表示動作の概要を示す図である。
【図９】この発明のその他の実施形態に係わる主モニタ及び副モニタの構成を示す図である。
【符号の説明】
【００４６】
ＣＭ１〜ＣＭｎ…カメラ、ＯＵ…操作機、１…映像表示装置、１０…受信ユニット、１２…受信制御部、１１１〜１１ｎ…受信部、２１〜２ｎ…映像記憶部、２１１〜２ｎ１…主メモリ、２１２〜２ｎ２…複製部、２１３〜２ｎ３…副メモリ群、３０…主モニタ、４０…副モニタ群、４１〜４ｋ…副モニタ、５０…主制御部、５１…切替部、５２…表示メモリ、５３，５４…表示制御部、５４１…画像比較部、５４２…ＯＳＤ生成部、５４３…副モニタ表示制御部、６１…テンキー、６２…映像選択ボタン、６３…副モニタ選択ボタン、６４…静止画間隔設定ボタン、６５，６６…ロックボタン、６７…警告映像表示ボタン。
【図１】
0004987757.tif 000002
【図２】
0004987757.tif 000003
【図３】
0004987757.tif 000004
【図４】
0004987757.tif 000005
【図５】
0004987757.tif 000006
【図６】
0004987757.tif 000007
【図７】
0004987757.tif 000008
【図８】
0004987757.tif 000009
【図９】
0004987757.tif 000010